【手続補正書】
【提出日】平成19年4月20日(2007.4.20)
【手続補正１】
【補正対象書類名】明細書
【補正対象項目名】特許請求の範囲
【補正方法】変更
【補正の内容】
【特許請求の範囲】
【請求項１】  １つ以上の制御チャネル及び複数のトラフィックチャネルを用いてワイヤレス加入者端末とワイヤレス通信する基地局を有するワイヤレスシステムで、メモリと、不揮発性メモリと、ワイヤレス加入者端末の動作を制御するためのプロセッサとをそれぞれ有するワイヤレス加入者端末をプログラミングする方法であって、
Ａ．新しい制御プログラムを表すファームウエアイメージのブロック数及びブロックサイズを含む新しい制御プログラムについての情報を、上記基地局からポイント・ツー・ポイントチャネルでワイヤレス加入者端末に送信する段階と、
Ｂ．端末が上記新しい制御プログラムの受信者であるか否かを示すレスポンスを、それぞれ個々のワイヤレス加入者端末からポイント・ツー・ポイントチャネルで上記基地局に送信する段階と、
Ｃ．上記ファームウエアイメージのブロック毎に、一連の識別されたデータのブロックで上記新しい制御プログラムを上記基地局から受信端末に制御チャネルでブロードキャストする段階と、
Ｄ．各受信端末で上記新しい制御プログラムの全ブロックの転送ステータスを判定するために、ポイント・ツー・ポイントチャネルで上記基地局により全ての上記受信端末にポーリングする段階と、
Ｅ．上記ファームウエアイメージの何個のブロックが受信されたか及び／又は欠如したブロックの範囲についての情報を含む、上記新しい制御プログラムの受信ステータスを示すステータス・メッセージを、各受信端末から上記基地局に送信する段階と、
Ｆ．不完全な送信及び必要な特定のデータブロックを示す各受信端末から送信された個々のステータス・メッセージに応じて、選択的に欠如したデータブロックを各受信端末に再送信する段階と、
Ｇ．各受信端末の制御を上記新しい制御プログラムへ移す段階とを有する方法。
【請求項２】  上記再送信する段階は、１つ以上のポイント・ツー・ポイント制御チャネルで生じる、請求項１記載の方法。
【請求項３】  上記再送信する段階は、１つ以上のブロードキャスト制御チャネルで生じる、請求項１記載の方法。
【請求項４】  上記制御を移す段階は、各受信ワイヤレス加入者端末において該ワイヤレス加入者端末で受信された上記新しい制御プログラムの有効性を判定するために、一連の診断的なテストを実行することを含む、請求項１記載の方法。
【請求項５】  上記受信ワイヤレス加入者端末によってデータのブロックで受信された各プログラムセグメントを上記ワイヤレス加入者端末の不揮発性メモリに記憶する段階を更に含み、これにより、上記ワイヤレス加入者端末によるプログラムセグメントの受信が中断された場合に、上記ワイヤレス加入者端末が全ての受信されたプログラムセグメントを保持する、請求項１記載の方法。
【請求項６】  上記プロセッサの制御を上記新しい制御プログラムへ移した後に、既存の制御プログラムを不揮発性メモリに記憶する段階を更に有する、請求項１記載の方法。
【請求項７】  上記既存の制御プログラム及び上記新しい制御プログラムは夫々上記ワイヤレス加入者端末の全ての動作よりも少ない動作を制御するソフトウエアパッチを含む、請求項１記載の方法。
【請求項８】  上記ワイヤレス加入者端末はセルラー式電話機である、請求項１記載の方法。
【請求項９】  上記ワイヤレス加入者端末はワイヤレスローカルループの端末である、請求項１記載の方法。
【請求項１０】  上記制御を上記新しい制御プログラムへ移す段階は、各ワイヤレス加入者端末を初期化する段階中に上記基地局によって強制される、請求項１記載の方法。
【請求項１１】  ワイヤレス加入者端末をプログラミングするシステムであって、
メモリを有する基地局と、
上記基地局のメモリに記憶される制御プログラムと、
複数のトラフィックチャネル及び複数の制御チャネルを含む無線インタフェースで、上記基地局とワイヤレス通信する１つ以上のワイヤレス加入者端末と、
新しい制御プログラムを表すファームウエアイメージのブロック数及びブロックサイズを含む新しい制御プログラムについての情報を、上記基地局からポイント・ツー・ポイントチャネルでワイヤレス加入者端末に送信する手段と、
端末が上記新しい制御プログラムの受信者であるか否かを示すレスポンスを、それぞれ個々のワイヤレス加入者端末からポイント・ツー・ポイントチャネルで上記基地局に送信する手段と、
上記ファームウエアイメージのブロック毎に、一連の識別されたデータのブロックで上記新しい制御プログラムを上記基地局から受信端末に制御チャネルでブロードキャストする手段と、
各受信端末で上記新しい制御プログラムの全ブロックの転送ステータスを判定するために、ポイント・ツー・ポイントチャネルで上記基地局により全ての上記受信端末にポーリングする手段と、
何個のブロックが受信されたか及び／又は欠如したブロックの範囲についての情報を含む、上記新しい制御プログラムの受信ステータスを示すステータス・メッセージを、各受信端末から上記基地局に送信する手段と、
不完全な送信及び必要な特定のデータブロックを示す各受信端末から送信された個々のステータス・メッセージに応じて、選択的に欠如したデータブロックを各受信端末に再送信する手段と、
各受信端末の制御を上記新しい制御プログラムへ移す手段とを含むシステム。
【請求項１２】  上記１つ以上のワイヤレス加入者端末はセルラー式電話送受話器を含む、請求項１１記載のシステム。
【請求項１３】  上記１つ以上のワイヤレス加入者端末はワイヤレスローカルループ端末を含む、請求項１１記載のシステム。
【請求項１４】  ワイヤレスシステムの１つ以上のワイヤレス加入者端末をプログラミングする基地局であって、
メモリと、
１つ以上のプログラムセグメントとしてメモリに記憶される制御プログラムと、
新しい制御プログラムについての情報を含むポイント・ツー・ポイント順方向メッセージを無線インタフェースでワイヤレス加入者端末に送信し、新しい制御プログラムを共に形成するファームウエアイメージの個々のブロックを含む一連の識別されたブロードキャスト・ファームウエア・ブロック・メッセージを含むブロードキャスト順方向メッセージを受信端末に送信し、受信端末への新しい制御プログラムの転送についての制御チャネルでの受信端末へのポーリング照会を含み、順序を問わずに選択的に送信可能な上記メモリに記憶された上記１つ以上のプログラムセグメントを含む順方向メッセージを送信する送信器と、
端末が上記新しい制御プログラムの受信者であるか否かを示すそれぞれ個々の端末から上記基地局へのレスポンスを含む、ポイント・ツー・ポイント制御チャネルでの受信端末からの１つ以上のステータス・メッセージと、上記新しい制御プログラムを表す上記ファームウエアイメージの全ブロック又はその一部の受信ステータスを示すメッセージとを含む逆方向メッセージを、上記無線インタフェースでワイヤレス加入者端末から受信する受信器と、
上記基地局の動作を制御するため、上記メモリ、上記送信器、及び上記受信器に接続されたプロセッサとを含む基地局。
【請求項１５】  上記順方向メッセージはブロードキャスト・ファームウエア・スタート・メッセージを含み、上記逆方向メッセージはブロードキャスト・ファームウエア・スタート・レスポンス・メッセージを含む、請求項１４記載の基地局。
【請求項１６】  上記順方向メッセージはブロードキャスト・ファームウエア・ステータス・リクエスト・メッセージを含み、上記逆方向メッセージはブロードキャスト・ファームウエア・ステータス・メッセージを含む、請求項１４記載の基地局。
【請求項１７】  上記順方向メッセージはファームウエア切換メッセージを含む、請求項１４記載の基地局。
【請求項１８】  ワイヤレスシステムの１つ以上のワイヤレス加入者端末をプログラミングするために基地局を動作させる方法であって、
Ａ．新しい制御プログラムを表すファームウエアイメージのブロック数及びブロックサイズを含む新しい制御プログラムについての情報を、上記基地局からワイヤレス加入者端末に送信する段階と、
Ｂ．端末が上記新しい制御プログラムの受信者であるか否かを示す、それぞれ個々のワイヤレス加入者端末から上記基地局へのレスポンスをポイント・ツー・ポイントチャネルで受信する段階と、
Ｃ．上記ファームウエアイメージのブロック毎に、一連の識別されたデータのブロックで上記新しい制御プログラムを上記基地局から受信端末に制御チャネルでブロードキャストする段階と、
Ｄ．各受信端末で上記新しい制御プログラムの全ブロックの転送ステータスを判定するために、ポイント・ツー・ポイントチャネルで全ての上記受信端末にポーリングする段階と、
Ｅ．何個のブロックが受信されたか及び／又は欠如したブロックの範囲についての情報を含む、上記新しい制御プログラムの受信ステータスを示す、各受信端末から上記基地局へのステータス・メッセージをポイント・ツー・ポイント・チャネルで受信する段階と、
Ｆ．不完全な送信及び必要な特定のデータブロックを示す各受信端末から送信された個々のステータス・メッセージに応じて、選択的に欠如したデータブロックを各受信端末に再送信する段階と、
Ｇ．各受信端末の制御を上記新しい制御プログラムへ移す段階とを含む方法。
【請求項１９】  上記ブロードキャストする段階は、ブロードキャストチャネルで１つ以上のブロードキャスト・ファームウエア・ブロック・メッセージを送信する段階を更に含む、請求項１８記載の方法。
【請求項２０】  ワイヤレスシステムにおいて使用されるワイヤレス加入者端末であって、
メモリと、
端末が新しい制御プログラムの受信者であるか否かを示すレスポンスを基地局に送信することを含み、ポイント・ツー・ポイントチャネルでの１つ以上のステータス・メッセージと、プログラム転送からの欠如したデータブロックに関する情報を含む新しい制御プログラム又はその一部の受信ステータスを示すメッセージとを含む逆方向メッセージを、無線インタフェースで上記端末から送信する送信器と、
上記新しい制御プログラムを含む一連の識別されたデータのブロックを含むファームウエアのポイント・ツー・ポイント・メッセージ又はブロードキャスト・メッセージを含み、上記端末への新しい制御プログラムの転送についてのポーリング照会を含み、順序に関係なく１つ以上のプログラムセグメントに関するメッセージを含む順方向メッセージを、基地局からチャネルで受信する受信器と、
上記端末を制御し、上記メモリに上記１つ以上のプログラムセグメントを記憶するための、上記メモリ、上記送信器、及び上記受信器に接続されるプロセッサとを含む端末。
【請求項２１】  上記順方向メッセージはブロードキャスト・ファームウエア・スタート・メッセージを含み、上記逆方向メッセージはブロードキャスト・ファームウエア・スタート・レスポンス・メッセージを含む、請求項２０記載の端末。
【請求項２２】  上記順方向メッセージはブロードキャスト・ファームウエア・ステータス・リクエスト・メッセージを含み、上記逆方向メッセージはブロードキャスト・ファームウエア・ステータス・メッセージを含む、請求２０記載の端末。
【請求項２３】  上記順方向メッセージはファームウエア切換メッセージを含む、請求項２０記載の端末。
【請求項２４】  上記１つ以上のプログラムセグメントを含む上記順方向メッセージはブロードキャスト・メッセージである、請求項２０記載の端末。
【請求項２５】  制御プログラムを受信するためにワイヤレスシステムのワイヤレス加入者端末を動作させる方法であって、
Ａ．新しい制御プログラムを表すファームウエアイメージのブロック数及びブロックサイズを含む新しい制御プログラムについての情報を、上記基地局から受信する段階と、
Ｂ．端末が上記新しい制御プログラムの受信者であるか否かを示すレスポンスを、それぞれ個々のワイヤレス加入者端末からポイント・ツー・ポイントチャネルで上記基地局に送信する段階と、
Ｃ．一連の識別されたデータのブロックで上記新しい制御プログラムを、受信端末での上記基地局からのブロードキャストを通じて受信する段階と、
Ｄ．何個のブロックが受信されたか及び／又は欠如したブロックの範囲についての情報を含む、上記新しい制御プログラムの転送ステータスを各受信端末で判定するために、チャネルで全ての受信端末においてステータス・リクエストを受信する段階と、
Ｅ．上記新しい制御プログラムの受信ステータス及び欠如した特定のデータブロックを示すステータス・メッセージを、各受信端末から上記基地局に制御チャネルで送信する段階と、
Ｆ．各受信端末から送信された個々のステータス・メッセージに応じて、各受信端末で欠如したデータブロックを上記基地局から再送信する段階と、
Ｇ．各受信端末の制御を上記新しい制御プログラムへ移す段階とを含む方法。
【請求項２６】  上記新しい制御プログラムを受信する段階は、ブロードキャストチャネルで複数のファームウエア・ブロック・メッセージを受信する段階を更に含む、請求項２５記載の方法。
【請求項２７】  上記制御を移す段階は、ファームウエア切換メッセージを受信する段階を更に含む、請求項２５記載の方法。
【請求項２８】  ハードウェアモデルと、マスク番号と、ソフトウェアバージョン番号と、上記転送を一意に識別するＩＤ番号と、強制移行通知とのうち少なくとも１つを含む、上記新しい制御プログラムについての情報を上記基地局から送信することを含む、請求項１記載の方法。